【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
動画を構成する画像を複数の画素からなるブロックに分割し、分割されたブロック単位で符号化する画像符号化装置であって、
前記符号化対象ブロックの予測符号化のモードが、前記符号化対象ブロックを含む画像のうちの画像部分を参照することを示すために前記符号化対象ブロックと前記画像部分との空間的な関係を示すベクトルの符号化を許容するモードにおいて、前記符号化対象ブロックの近傍ブロックに関連付けられたベクトルを含む候補リストから前記符号化対象ブロックのためのベクトルを選択し、前記選択されたベクトルに対応するインデックスを符号化するとともに、前記予測符号化のモードを示すデータを符号化する符号化手段を有し、
前記符号化手段は、前記候補リストに含まれる前記ベクトルが所定数に満たない場合、前記所定数となるまでゼロベクトルを追加することを特徴とする画像符号化装置。
【請求項２】
前記符号化手段は、さらに、前記所定数として、前記符号化対象ブロックの予測符号化のモードがインター予測モードである場合における、候補リストに含まれるベクトルの最大数に関する情報を符号化することを特徴とする請求項１に記載の画像符号化装置。
【請求項３】
前記符号化対象ブロックを含む画像のうちの参照されるべき画像部分は、前記符号化対象の画像のうち符号化済みである画像部分に含まれることを特徴とする請求項１に記載の画像符号化装置。
【請求項４】
入力された符号データに基づいて、ブロック単位で符号化された画像を復号する画像復号装置において、
復号対象の画像のうち、前記復号済みの画像を取得する画像取得手段と、
前記符号データから、復号対象ブロックの予測符号化モードを判定する判定手段と、
前記判定手段によって判定された予測符号化モードが、前記復号対象ブロックを含む画像のうちの画像部分を参照することを示すために前記復号対象ブロックと前記画像部分との空間的な関係を示すベクトルの符号化を許容するモードである場合において、前記復号対象ブロックの近傍ブロックに関連付けられたベクトルを含む候補リストから、前記符号化データから得られるインデックスに対応するベクトルを選択し、当該選択されたベクトルに基づいて前記復号対象のブロックを復号する復号手段とを有し、
前記復号手段は、前記候補リストに含まれる前記ベクトルが所定数に満たない場合、前記所定数となるまでゼロベクトルを追加することを特徴とする画像復号装置。
【請求項５】
前記復号手段は、さらに、前記所定数として、前記符号化対象ブロックの予測符号化のモードがインター予測モードである場合における、候補リストに含まれるベクトルの最大数に関する情報を復号することを特徴とする請求項４に記載の画像復号装置。
【請求項６】
動画を構成する画像を複数の画素からなるブロックに分割し、分割されたブロック単位で符号化する画像符号化方法であって、
前記符号化対象ブロックの予測符号化のモードが、前記符号化対象ブロックを含む画像のうちの画像部分を参照することを示すために前記符号化対象ブロックと前記画像部分との空間的な関係を示すベクトルの符号化を許容するモードにおいて、前記符号化対象ブロックの近傍ブロックに関連付けられたベクトルを含む候補リストから前記符号化対象ブロックのためのベクトルを選択する選択工程と、
前記選択されたベクトルに対応するインデックスを符号化するとともに、前記予測符号化のモードを示すデータを符号化する符号化工程とを有し、
前記選択工程において、前記候補リストに含まれる前記ベクトルが所定数に満たない場合、前記所定数となるまでゼロベクトルを追加することを特徴とする画像符号化方法。
【請求項７】
前記符号化工程において、さらに、前記所定数として、前記符号化対象ブロックの予測符号化のモードがインター予測モードである場合における、候補リストに含まれるベクトルの最大数に関する情報が符号化されることを特徴とする請求項６に記載の画像符号化方法。
【請求項８】
前記符号化対象ブロックを含む画像のうちの参照されるべき画像部分は、前記符号化対象の画像のうち符号化済みである画像部分に含まれることを特徴とする請求項６に記載の画像符号化方法。
【請求項９】
入力された符号データに基づいて、ブロック単位で符号化された画像を復号する画像復号方法において、
復号対象の画像のうち、前記復号済みの画像を取得する画像取得工程と、
前記符号データから、復号対象ブロックの予測符号化モードを判定する判定工程と、
前記判定工程において判定された予測符号化モードが、前記復号対象ブロックを含む画像のうちの画像部分を参照することを示すために前記復号対象ブロックと前記画像部分との空間的な関係を示すベクトルの符号化を許容するモードである場合において、前記復号対象ブロックの近傍ブロックに関連付けられたベクトルを含む候補リストから、前記符号化データから得られるインデックスに対応するベクトルを選択し、当該選択されたベクトルに基づいて前記復号対象のブロックを復号する復号工程とを有し、
前記復号工程において、前記候補リストに含まれる前記ベクトルが所定数に満たない場合、前記所定数となるまでゼロベクトルが追加されることを特徴とする画像復号方法。
【請求項１０】
前記復号工程において、さらに、前記所定数として、前記符号化対象ブロックの予測符号化のモードがインター予測モードである場合における、候補リストに含まれるベクトルの最大数に関する情報が復号されることを特徴とする請求項９に記載の画像復号方法。
【請求項１１】
請求項６または請求項８のいずれか１項に記載の画像符号化方法をコンピュータに実行させるためのプログラム。
【請求項１２】
請求項９または請求項１０に記載の画像復号方法をコンピュータに実行させるためのプログラム。
【手続補正２】
【補正対象書類名】明細書
【補正対象項目名】００１０
【補正方法】変更
【補正の内容】
【００１０】
本発明は、上述の課題を鑑みてなされたものであり、動画を構成する画像を複数の画素からなるブロックに分割し、分割されたブロック単位で符号化する画像符号化装置であって、前記符号化対象ブロックの予測符号化のモードが、前記符号化対象ブロックを含む画像のうちの画像部分を参照することを示すために前記符号化対象ブロックと前記画像部分との空間的な関係を示すベクトルの符号化を許容するモードにおいて、前記符号化対象ブロックの近傍ブロックに関連付けられたベクトルを含む候補リストから前記符号化対象ブロックのためのベクトルを選択し、前記選択されたベクトルに対応するインデックスを符号化するとともに、前記予測符号化のモードを示すデータを符号化する符号化手段を有し、前記符号化手段は、前記候補リストに含まれる前記ベクトルが所定数に満たない場合、前記所定数となるまでゼロベクトルを追加することを特徴とする。
【手続補正３】
【補正対象書類名】明細書
【補正対象項目名】００１１
【補正方法】変更
【補正の内容】
【００１１】
さらに、入力された符号データに基づいて、ブロック単位で符号化された画像を復号する画像復号装置において、復号対象の画像のうち、前記復号済みの画像を取得する画像取得手段と、前記符号データから、復号対象ブロックの予測符号化モードを判定する判定手段と、前記判定手段によって判定された予測符号化モードが、前記復号対象ブロックを含む画像のうちの画像部分を参照することを示すために前記復号対象ブロックと前記画像部分との空間的な関係を示すベクトルの符号化を許容するモードである場合において、前記復号対象ブロックの近傍ブロックに関連付けられたベクトルを含む候補リストから、前記符号化データから得られるインデックスに対応するベクトルを選択し、当該選択されたベクトルに基づいて前記復号対象のブロックを復号する復号手段とを有し、前記復号手段は、前記候補リストに含まれる前記ベクトルが所定数に満たない場合、前記所定数となるまでゼロベクトルを追加することを特徴とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
イントラブロックコピー符号化のコピーベクトルにおいてもマージモードの使用が可能になり、コピーベクトルでの符号化効率の改善が可能になった。